(57)【要約】  扉を開いたとき邪魔になることがなく、見た目にもすっきりした扉開閉用ステーを提供する。  本発明の扉開閉用ステーは、筐体１１に取り付けられる本体部１５と、本体部１５に一端が回転可能に連結されるアーム１４と、本体部１５に設けられ、アーム１４が少なくとも一方向へ回転するように付勢する付勢手段と、アーム１４に長さ方向にスライド可能に設けられるアーム用スライダ１６と、扉１２に取り付けられ、アーム用スライダ１６に回転可能に連結される取付座１７と、を備える。アーム１４に対してスライド可能なアーム用スライダ１６を設け、アーム用スライダ１６が扉１２に取り付けられる取付座１７に対して回転できるようにすることで、二本のリンクを設けなくても、一本のアーム１４から扉１２に開閉する力を伝えることができる。したがって、邪魔になることがなく、また見た目にもすっきりした扉開閉用ステーが得られる。
2010097996.tif 000002
【特許請求の範囲】
【請求項１】
筐体に取り付けられる本体部と、
前記本体部に一端が回転可能に連結されるアームと、
前記本体部に設けられ、前記アームが少なくとも一方向へ回転するように付勢する付勢手段と、
前記アームに長さ方向にスライド可能に設けられるアーム用スライダと、
扉や蓋に取り付けられ、前記アーム用スライダに回転可能に連結される取付座と、を備える扉開閉用ステー。
【請求項２】
前記扉開閉用ステーはさらに、前記アームに対して前記スライダがスライドするときの抵抗を調整する抵抗調整手段を備えることを特徴とする請求項１に記載の扉開閉用ステー。
【請求項３】
前記抵抗調整手段は、
前記アームを囲む枠状のスライダ本体と、
前記スライダ本体に螺合する位置調整ねじと、
前記アームと前記スライダ本体との間に設けられ、前記位置調整ねじを回すことによって前記アームに向かって進退する摩擦プレートと、を含み、
前記摩擦プレートを前記アームに向かって進退させることによって、前記アームに対して前記スライダがスライドするときの抵抗を調整することを特徴とする請求項２に記載の扉開閉用ステー。
【請求項４】
前記付勢手段は、
前記本体部にスライド可能に設けられると共に、弾性体によって一方向に付勢される本体部スライダと、
前記アーム及び前記本体部スライダに回転可能に連結されるリンクと、を含み、
前記本体部スライダ又は前記アームに対する前記リンクの回転の支点が、少なくとも二つ設けられ、
一つのピンが前記本体部スライダ又は前記アームに対する前記リンクの回転の支点になっている状態から、前記リンクが回転することによって、他の一つのピンが前記本体部スライダ又は前記アームに対する前記リンクの回転の支点になる状態へと切り替わることを特徴とする請求項１ないし３のいずれかに記載の扉開閉用ステー。
【請求項５】
筐体に取り付けられる本体部と、
前記本体部に一端が回転可能に連結されるアームと、
前記本体部にスライド可能に設けられると共に、弾性体によって一方向に付勢される本体部スライダと、
前記アーム及び前記本体部スライダに回転可能に連結されるリンクと、を備え、
前記本体部スライダ又は前記アームに対する前記リンクの回転の支点が、少なくとも二つ設けられ、
一つのピンが前記本体部スライダ又は前記アームに対する前記リンクの回転の支点になっている状態から、前記リンクが回転することによって、他の一つのピンが前記本体部スライダ又は前記アームに対する前記リンクの回転の支点になる状態へと切り替わる扉開閉用ステー。
【発明の詳細な説明】
【技術分野】
【０００１】
本発明は、筐体にヒンジを介して開閉可能に取り付けられる扉や蓋の開閉動作を容易にするための扉開閉用ステーに関する。
【背景技術】
【０００２】
扉や蓋の開閉動作を容易にする従来の扉開閉用ステーとして、図１２に示すように、内部にスライダクランク機構５を備えるものが知られている（特許文献１参照）。扉開閉用ステーの本体部１には、アーム２の一端２ａが回転可能に連結される。本体部１が筐体６に取り付けられ、アーム２が扉７に連結される。扉７にはアーム２から開閉を補助する力が伝えられる。【０００３】
本体部１にはコイルばね８が設けられる。コイルばね８によって下方向に付勢される本体部スライダ４には、リンク３の一端が回転可能に取り付けられる。リンク３の他端はアーム２の回動基部に連結される。この本体部スライダ４、リンク３、及びアーム２がスライダクランク機構５を構成する。本体部スライダ４が往復運動すると、リンク３を介してクランクに相当するアーム２が回転運動する。アーム２の他端２ｂには、さらなるリンク９を介して取付座１０が回転可能に取り付けられる。この取付座１０に扉７が取り付けられる。【０００４】
図１２（ａ）に示すように、扉７が閉じた状態では、コイルばね８の付勢力によってアーム２には時計方向にトルクＴ１が作用する。このように閉じた状態の扉７にさらに閉じる方向のトルクを作用させることで、閉じた状態を安定して保持することができる。一方、図１２（ｂ）に示すように、閉じた状態の扉７を開くことによって、アーム２が回転し、スライダクランク機構５が思案点を超える。こうなると、コイルばね８の付勢力によって今度は逆にアーム２に反時計方向にトルクＴ２が作用する。扉７にさらに開こうとする方向のトルクが作用するので、扉７の開き動作を容易にしたり、扉の開き角度を一定に保ったりすることができる。
【先行技術文献】
【特許文献】
【０００５】
【特許文献１】特許３１２０２１２号公報
【発明の概要】
【発明が解決しようとする課題】
【０００６】
しかし、従来の扉開閉用ステーにあっては、ガタなく扉を開閉するために、筐体６と扉７との間に二本のリンク（アーム２及びリンク９）が必要になる。そして図１２（ｂ）に示すように、扉７が開いた状態では、二本のリンクが一直線上に並び、筐体６と扉７との間に筋交いのように突っ張る。このため扉７を開いたとき、二本のリンクが収納の邪魔になったり、見た目にすっきりしなかったりするという問題がある。【０００７】
本発明はこのような従来の扉開閉用ステーの課題を解決するものであり、扉を開いたとき邪魔になることがなく、見た目にもすっきりした扉開閉用ステーを提供することを目的とする。【０００８】
ところで、例えば上述の扉開閉用ステーは、閉じた状態の扉にはさらに閉じる方向に力を与え、開いた状態の扉にはさらに開く方向に力を与えている。重量が重い扉の場合、開いた状態の姿勢を一定に保つためには、扉に大きな開く方向のトルクを与える必要がある。逆に、閉じた状態の扉を開く際の操作感を軽くするためには、閉じた状態の扉に与える閉じる方向のトルクを小さくする必要がある。【０００９】
しかし、従来の扉開閉用ステーにあっては、開いた状態の扉の姿勢を一定に保つためにコイルばね８のばね力を強くすると、閉じた状態の扉に小さな閉じる方向のトルクを与えるのが困難になり、逆に、閉じた状態の扉を開く際の操作感を軽くするためにコイルばね８のばね力を弱くすると、開いた状態の扉に大きな開く方向のトルクを与えるのが困難になる、という問題がある。【００１０】
そこで、本発明の扉開閉用ステーの他の目的は、扉を開いたときと閉じたときとで扉に伝わる開閉力を自在にコントロールできる扉開閉用ステーを提供することにある。
【課題を解決するための手段】
【００１１】
上記課題を解決するために、本発明の一態様は、筐体に取り付けられる本体部と、前記本体部に一端が回転可能に連結されるアームと、前記本体部に設けられ、前記アームが少なくとも一方向へ回転するように付勢する付勢手段と、前記アームに長さ方向にスライド可能に設けられるアーム用スライダと、扉や蓋に取り付けられ、前記アーム用スライダに回転可能に連結される取付座と、を備える扉開閉用ステーである。【００１２】
本発明の他の態様は、筐体に取り付けられる本体部と、前記本体部に一端が回転可能に連結されるアームと、前記本体部にスライド可能に設けられると共に、弾性体によって一方向に付勢される本体部スライダと、前記アーム及び前記本体部スライダに回転可能に連結されるリンクと、を備え、前記本体部スライダ又は前記アームに対する前記リンクの回転の支点が、少なくとも二つ設けられ、一つのピンが前記本体部スライダ又は前記アームに対する前記リンクの回転の支点になっている状態から、前記リンクが回転することによって、他の一つのピンが前記本体部スライダ又は前記アームに対する前記リンクの回転の支点になる状態へと切り替わる扉開閉用ステーである。
【発明の効果】
【００１３】
本発明の一態様によれば、アームに対してスライド可能なアーム用スライダを設け、スライド部材が扉に取り付けられる取付座に対して回転できるようにすることで、二本のリンク（アーム及び連結リンク）を設けなくても、一本のアームから扉に開閉する力を伝えることができる。したがって、邪魔になることがなく、また見た目にもすっきりした扉開閉用ステーが得られる。【００１４】
本発明の他の態様によれば、リンクが本体部スライダ又はアームに対して回転することによって、リンクの回転の支点になるピンが切り替わるので、本体部スライダからリンクを介してアームに伝わる弾性体の付勢力を一気に変化させることができる。このため、扉を開いたときと閉じたときとで扉に伝わる開閉力を自在にコントロールできる。
【図面の簡単な説明】
【００１５】
【図１】本発明の第一の実施形態の扉開閉用ステーを取り付けた筐体及び扉の斜視図
【図２】扉の開閉状態と扉開閉用ステーの動作との関係を示す断面図
【図３】扉開閉用ステーの要部断面図
【図４】扉開閉用ステーの分解斜視図
【図５】アーム用スライダの分解斜視図
【図６】アーム及びスライダの断面図
【図７】扉に取り付けたアーム及びスライダの断面図（図中（ａ）はアーム本体と摩擦プレートとの間にすきまを空けた状態を示し、図中（ｂ）はアーム本体に摩擦プレートを密着させた状態を示す）
【図８】スライダクランク機構の動作図（図中（ａ）は扉が開いた状態を示し、図中（ｂ）はスライダクランク機構が思案点に到達した状態を示し、図中（ｃ）は扉が閉じた状態を示す）
【図９】ピンを切り替えたスライダクランク機構からアームに作用するトルクを示す図（図中（ａ）は本実施形態の例を示し、図中（ｂ）は比較例を示す）
【図１０】本発明の第二の実施形態の扉開閉用ステーの要部断面図
【図１１】本発明の第三の実施形態の扉開閉用ステーの要部断面図
【図１２】従来の扉開閉用ステーの断面図（図中（ａ）は扉を閉じた状態を示し、図中（ｂ）は扉を開いた状態を示す）
【発明を実施するための形態】
【００１６】
以下添付図面に基づいて本発明の第一の実施形態の扉開閉用ステーを詳細に説明する。図１は、扉開閉用ステーを取り付けた筐体１１及び扉１２の斜視図を示す。扉開閉用ステーは、筐体１１に固定される本体部１５と、扉１２側に連結されるアーム１４と、を備える。アーム１４は本体部１５に垂直面内で回転可能に取り付けられる。扉１２を開閉する際、アーム１４は扉１２の開閉を補助する付勢力を扉１２に付与する。筐体１１と扉１２との間には、扉開閉用ステー以外にスライド蝶番１３が取り付けられる。扉１２の回転軌道はスライド蝶番１３によって決定される。なお、スライド蝶番１３は扉１２が開くとき、回転軸が移動する公知の蝶番である。スライド蝶番１３の回転軸が移動することで、扉１２を開いたとき、筐体１１の枠と扉１２との間のクリアランスを小さくすることができる。
【００１７】
図１に示すように、扉開閉用ステーの本体部１５は、筐体１１の側板１１ａの上部に取り付けられる。側板１１ａの天井側の一辺１１ａ１と枠側の一辺１１ａ２とは直交していて、本体部１５はこれらの辺の角に位置を合わせて取り付けられる。アーム１４には、アーム１４の長さ方向にスライド可能にアーム用スライダ１６が取り付けられる。アーム用スライダ１６には、取付座１７が回転可能に連結される。この取付座１７に扉１２が取り付けられる。
【００１８】
図２に示すように、扉開閉用ステーのアーム１４は、扉１２と略平行に伸びる。扉１２を開閉する際、アーム１４は扉１２と略平行状態を保ったまま本体部１５に対して回転する。図２（ａ）に示すように、扉１２が閉じた状態では、アーム１４は扉１２にさらに閉じる方向に力を与える。このため、扉１２が閉じた状態が安定して保たれる。図２（ｂ）に示すように、閉じた状態の扉１２を例えば２０度以上開くと、今度は逆にアーム１４は扉１２に開く方向の力を与える。このアーム１４の開く方向の力によって、扉１２を開く動作が容易になると共に、扉１２の任意の開き角度を一定に保つこともできるようになる。図２（ｃ）に示すように、扉１２は最大９０度まで開くことができる。開いた状態の扉１２を閉じるときは、扉１２を例えば２０度まで閉じると（図２（ｃ）→図２（ｂ））、扉１２が自動的に閉まるようになる（図２（ａ））。この実施形態においては、筐体１１の枠に対して扉１２はアウトセット、すなわち筐体１１の枠を覆うように扉１２が設けられる。
【００１９】
図３は扉開閉用ステーの要部断面図を示し、図４は扉開閉用ステーの分解斜視図を示す。図３に示すように、本体部１５には、スライダクランク機構２１が組み込まれる。スライダクランク機構２１は、アーム１４、アーム１４のアーム保持プレート２２に連結されるリンク２３、及び本体部１５に一方向にスライド可能に設けられる本体部スライダ２４から構成される。扉１２の重量は、本体部１５に内包された弾性体としてのコイルばね２５の付勢力により支持される。すなわち、コイルばね２５の付勢力Ｆ１は、本体部スライダ２４及びリンク２３によってアーム１４のトルクＴ１に変換される。アーム１４のトルクＴ１により扉の重量を支持できる。
【００２０】
図２（ｃ）に示すように、扉１２が開いた状態では、アーム１４にはコイルばね２５の付勢力によって時計方向（扉１２を開く方向）のトルクが付与される。扉１２が例えば２０度以下に閉じると、スライダクランク機構の思案点に到達する。図２（ａ）に示すように、扉１２がさらに閉じると、アーム１４にはコイルばね２５の付勢力によって反時計方向（扉１２を閉じる方向）のトルクが付与される。このときのトルクは閉じた扉１２のキャッチ力に利用される。
【００２１】
図４に示すように、本体部１５は二分割されたケース半体１５ａ，１５ｂを結合してなる。各ケース半体１５ａ，１５ｂは、薄板を曲げ加工することにより形成される。ケース半体１５ａ，１５ｂには、内側に向かって突出する案内壁２７ａ，２７ｂが形成される。案内壁２７ａ，２７ｂには、略矩形状の本体部スライダ２４及びばね受け２８が案内壁２７ａ，２７ｂに沿って一方向へスライド可能に収容される。一対のケース半体１５ａ，１５ｂ間には、アーム１４の回転の支点となるピンＰ１が架け渡される。見栄えをよくするために、本体部１５は化粧カバー２９で覆われる。
【００２２】
本体部１５には、アーム１４の一端がピンＰ１を介して回転可能に連結される。ピンＰ１は、本体部１５に対するアーム１４の回転の支点になる。アーム１４は細長く伸びる中空のアーム本体３０と、アーム本体３０の一端側に取り付けられる一対のアーム保持プレート２２と、一対のアーム保持プレート２２の間に介在される円筒形状の軸受け１９と、から構成される。
【００２３】
アーム本体３０の断面は扁平な四角形に形成される。アーム本体３０の一端側には、一対のアーム保持プレート２２を取り付けるための取り付け孔３０ａが開けられる。一対のアーム保持プレート２２それぞれは、アーム本体３０に合わせて細長く伸びる連結部２２ａと、連結部２２ａに対して面積を広げた拡大部２２ｂと、を有する。一対のアーム保持プレート２２の連結部２２ａはアーム本体３０の一方の端部に挿入される。ピン１８により一対のアーム保持プレート２２とアーム本体３０とを連結した後、アーム本体３０の一方の端部は枠状の固定片２０によって囲まれる。アーム本体３０の逆方向の端部はプラグ３５によって塞がれる。
【００２４】
軸受け１９の内周には、ピンＰ１が嵌められる。ピンＰ１に対するアーム１４の回転運動はこの軸受け１９によって案内される。アーム保持プレート２２には、さらなるピンＰ２を介してリンク２３が回転可能に連結される。アーム１４に対するリンク２３の回転の支点になるピンＰ２は、アーム保持プレート２２に、本体部１５に対するアーム１４の回転の支点となるピンＰ１から平面的にずれた位置に配置される。
【００２５】
本体部スライダ２４及びばね受け２８の間には、複数のコイルばね２５が収納される。複数のコイルばね２５は、その長さ方向の一端部が複数の円筒状の凹部を有する本体部スライダ２４に挿入され、他端が複数の円筒状の凹部を有するばね受け２８に挿入され、本体部スライダ２４及びばね受け２８に挟まれる。本体部スライダ２４及びばね受け２８は、ケース半体１５ａ，１５ｂの案内壁２７ａ，２７ｂによって一方向にスライド可能である。一対のケース半体１５ａ，１５ｂ間には、ばね受け２８のスライドを制限するためのピンＰ５が架け渡される。ばね受け２８にはピンＰ５に嵌まる長孔２８ａが形成される。コイルばね２５によってばね受け２８には図中右奥方向の付勢力が作用する。ばね受け２８の右奥方向のスライドはピンＰ５によって制限される。なお、本体部スライダ２４及びばね受け２８は同一形状に形成される。本体部スライダ２４及びばね受け２８を射出成型するときの金型を共通化するためである。
【００２６】
本体部スライダ２４の一端には、山状の突起２４ａが形成される。この突起２４ａには、リンク２３の二つのピンＰ３，Ｐ４に対応する二つのピン受けとして、凹部２４ｂ及び長孔２４ｃが形成される。二つのピンの一方Ｐ４が長孔２４ｃに挿入され、他方Ｐ３が凹部２４ｂに嵌められる。
【００２７】
リンク２３は平行な二枚のリンク板を底部プレートで結合してなり、断面がコ字形状に形成される。リンク２３の一方の端部は、ピンＰ２を介してアーム保持プレート２２に回転可能に連結される。リンク２３の他方の端部には、上述の二つのピンＰ３，Ｐ４が設けられる。
【００２８】
アーム本体３０には、アーム本体３０の長さ方向にスライド可能にアーム用スライダ１６が取り付けられる。図５にも示すように、アーム用スライダ１６は、アーム本体３０を囲む枠状のスライダ本体３１と、スライダ本体３１に螺合する位置調整ねじ３２と、アーム本体３０とスライダ本体３１との間に設けられる摩擦プレート３３と、を備える。
【００２９】
スライダ本体３１には、山形状の突起３１ａが形成される。この突起３１ａにピンＰ６を介して取付座１７が回転可能に取り付けられる。取付座１７は、板状のプレート本体１７ａと、プレート本体１７ａから下方に突出する略三角形状の突起プレート１７ｂと、を有する。プレート本体１７ａには、扉１２に取り付けるための通し孔１７ｄが開けられる。突起プレート１７ｂには、ピンＰ６に嵌まる孔１７ｃが開けられる。取付座１７はこのピンＰ６を中心にして回転する。
【００３０】
スライダ本体３１の底部には雌ねじ部３６が嵌め込まれる。雌ねじ部３６は、内周面に雌ねじが形成される円筒状の雌ねじ本体３６ａと、雌ねじ本体３６ａの上端に一体に設けられる矩形状のフランジ部３６ｂと、を有する。図６に示すように、雌ねじ部３６の雌ねじ本体３６ａがスライダ本体３１の底部の孔３１ｂに嵌められる。雌ねじ部３６のフランジ部３６ｂはスライダ本体３１の底部の上面に載る。雌ねじ部３６には、外側から位置調整ねじ３２がねじ込まれる。位置調整ねじ３２は、見栄えをよくするために、また不用意に位置調整ねじ３２が回るのを防止するために、化粧プレート３７によって覆われる。化粧プレート３７はスライダ本体３１のフック３１ｃに圧入・固定される。
【００３１】
アーム本体３０とスライダ本体３１との間には摩擦プレート３３が介在される。摩擦プレート３３は、弾力のある合成樹脂から製造される。摩擦プレート３３の、アーム本体３０との接触面には、高さを一段盛り上げて接触部３３ａ（図５参照）が形成される。摩擦プレート３３の背面には、雌ねじ部３６のフランジ部３６ｂに対応する切欠き３３ｂが形成される。雌ねじ部３６のフランジ部３６ｂが摩擦プレート３３の切欠き３３ｂに嵌まることによって、摩擦プレート３３がスライダ本体３１と一緒にスライドするようになる。
【００３２】
摩擦プレート３３は位置調整ねじ３２の送りねじの作用によって、アーム本体３０に向かって進退する。摩擦プレート３３とアーム本体３０との接触圧力を調整することによって、アーム本体３０に対してスライダ本体３１がスライドするときの抵抗が調整される。図７（ａ）に示すように、扉１２を開き易くするときは、アーム本体３０と摩擦プレート３３との間にすきまを空ける。その一方、図７（ｂ）に示すように、扉１２を開きにくくするときは、アーム本体３０と摩擦プレート３３との間にすきまをなくし、アーム本体３０に摩擦プレート３３を密着させる。
【００３３】
再び図４に示すように、本体部１５には、流体の粘性抵抗によって制動力を発生させるダンパ４１が組み込まれる。アーム１４が所定角度以上方向に回転すると、アーム１４とダンパ４１の可動部４２が当接し、ダンパ４１が圧縮される。このダンパ４１の圧縮に伴い、アーム１４には回転を制動する力が与えられる。ダンパ４１を設けることにより、扉１２が閉じて筐体１１に衝突するときの衝撃を緩和することができる。
【００３４】
図８に示すように、扉開閉用ステーのアーム１４、リンク２３及び本体部スライダ２４が、スライダクランク機構２１を構成する。図８（ａ）に示すように、扉１２が開いた状態では、リンク２３のピンＰ４が本体部スライダ２４の長孔２４ｃの右端に着座する。この状態では、本体部スライダ２４に対するリンク２３の回転の支点はピンＰ４である。本体部１５に内包されたコイルばね２５の付勢力は、ピンＰ４、リンク２３、ピンＰ２を介してクランクに相当するアーム１４にトルクとして伝達される。扉１２を開いた状態では、アーム１４には扉１２をさらに開く方向のトルクが作用する。
【００３５】
図８（ｂ）に示すように、扉１２を閉じる方向に回転させる（本体部１５に対してアーム１４を反時計方向に回転させる）と、スライダクランク機構２１が思案点に到達する。すなわち、アーム１４は反時計方向にも時計方向にも回転できる状態にあり、アーム１４にはコイルばね２５からのトルクが伝達されない。
【００３６】
図８（ｃ）に示すように、さらに扉１２を閉じる方向に回転させる（本体部１５に対してアーム１４をさらに反時計方向に回転させる）と、スライダクランク機構が思案点を超え、コイルばね２５の付勢力によってアーム１４に扉１２を閉じる方向のトルクが作用する。
【００３７】
本実施形態のようなスライダクランク機構２１を用いた扉開閉用ステーにおいては、コイルばね２５の付勢力によって扉１２の重量を支えている。そして、このコイルばね２５の付勢力はスライダクランク機構２１の思案点を利用することにより、扉１２を閉じる方向のキャッチ力にも利用されている。扉１２が重い場合には、コイルばね２５の付勢力を強めて扉１２を支える必要がある。しかし、付勢力を強めることによりキャッチ力が強まり、扉１２を開く際の操作感の重さにつながってしまう。これを防止するため、本実施形態においては、図８（ｂ）から図８（ｃ）に示すように、本体部スライダ２４に対するリンク２３の回転の支点をピンＰ４からピンＰ３に切り替えている。すなわち、図８（ｃ）に示すように、リンク２３が回転することによって、ピンＰ４が本体部スライダ２４の長孔２４ｃの右端に着座した状態から浮き上がり、替わりにピンＰ３が本体部スライダ２４の凹部２４ｂに着座するようになる。こうなると、本体部スライダ２４に対するリンク２３の回転の支点はピンＰ４からピンＰ３へと切り替わる。
【００３８】
図９（ａ）に示すように、リンク２３からアーム１４には、リンク２３のピンＰ３とピンＰ２を結んだ方向に力Ｆが伝わる。アーム１４に伝わるトルクは、力Ｆ×腕の長さＬで表わされる。腕の長さＬ’は、アーム１４の回転中心（ピンＰ１）からリンク２３のピンＰ３とピンＰ２を結んだ線Ｌ’までの距離で表わされる。本体部スライダ２４に対するリンク２３の回転の支点となるピンをＰ４からＰ３に切り替えることで、腕の長さＬ’を短くすることができる。このため、アーム１４に作用するトルクを低減させることができ、ひいては閉じた状態の扉１２のキャッチ力を低減させることができる。
【００３９】
図９（ｂ）は、ピンを切り替えないときの比較例を示す。ピンを切り替えないと、腕の長さＬが長くなるので、Ｆ×Ｌも低減することができず、アーム１４に作用するトルクも低減することができないことがわかる。
【００４０】
図１０は、本発明の第二の実施形態の扉開閉用ステーの要部断面図を示す。この実施形態においても、上記第一の実施形態の扉開閉用ステーと同様に、本体部５１にはスライダクランク機構５２が組み込まれる。スライダクランク機構５２は、アーム５３、アーム５３のアーム保持プレート５４に連結されるリンク５５、及び本体部５１に一方向にスライド可能に設けられる本体部スライダ５６から構成される。しかし、第二の実施形態の扉開閉用ステーにおいては、上記第一の実施形態の扉開閉用ステーと異なり、本体部スライダ５６に二つのピン５７が設けられ、リンク５５に二つのピン５７に対応するピン受け５８が設けられる。本体部スライダ５６に対するリンク５５の回転により、リンク５５の回転の支点になるピン５７が切り替わるのは上記第一の実施形態と同様である。
【００４１】
図１１は、本発明の第三の実施形態の扉開閉用ステーの要部断面図を示す。この実施形態においても、上記第一の実施形態の扉開閉用ステーと同様に、本体部６１にはスライダクランク機構６２が組み込まれる。スライダクランク機構６２は、アーム６３、アーム６３のアーム保持プレート６４に連結されるリンク６５、及び本体部６１に一方向にスライド可能に設けられる本体部スライダ６６から構成される。しかし、第三の実施形態の扉開閉用ステーにおいては、上記第一及び第二の実施形態の扉開閉用ステーと異なり、アーム保持プレート６４に二つのピン６７が設けられ、リンク６５に二つのピン６７に対応するピン受け６８が設けられる。二つのピン６７はアーム保持プレート６４に対するリンク６５の回転の支点になる。アーム保持プレート６４に対するリンク６５の回転により、リンク６５の回転の支点になるピン６７が切り替わるのは上記第一及び第二の実施形態と同様である。
【００４２】
なお、本発明は上記実施形態に具現化されるのに限られることはなく、本発明の要旨を変更しない範囲で様々な実施形態に具現化できる。例えば、扉の開閉状態とアームに作用するトルクの方向は任意に設定できる。扉の開閉状態にかかわらず、常に開方向又は閉じ方向にトルクが作用してもよい。また、扉が開いた状態で閉じる方向のトルクが作用し、扉が閉じた状態で開く方向のトルクが作用してもよい。
【００４３】
さらにアーム、リンク及び本体部スライダには、回転の支点になる三つ以上のピンが設けられてもよいし、アーム及びリンクの双方、又はリンク及び本体部スライダの双方に二つのピンが設けられてもよい。
【００４４】
本明細書は、２００９年２月２７日出願の特願２００９−０４５４９８に基づく。この内容はすべてここに含めておく。
【符号の説明】
【００４５】
１１…筐体
１２…扉
１４，５３，６３…アーム
１５，５１，６１…本体部
１６…アーム用スライダ
１７…取付座
２３，５５，６５…リンク
２４ｂ…凹部（ピン受け）
２４ｃ…長孔（ピン受け）
２４，５６，６６…本体部スライダ
３１…スライダ本体
３２…位置調整ねじ
３３…摩擦プレート
Ｐ１〜Ｐ５…ピン
【図１】
2010097996.tif 000003
【図２】
2010097996.tif 000004
【図３】
2010097996.tif 000005
【図４】
2010097996.tif 000006
【図５】
2010097996.tif 000007
【図６】
2010097996.tif 000008
【図７】
2010097996.tif 000009
【図８】
2010097996.tif 000010
【図９】
2010097996.tif 000011
【図１０】
2010097996.tif 000012
【図１１】
2010097996.tif 000013
【図１２】
2010097996.tif 000014
【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
筐体に取り付けられる本体部と、
前記本体部に一端が回転可能に連結されるアームと、
前記本体部に設けられ、前記アームが少なくとも一方向へ回転するように付勢する付勢手段と、
前記アームに長さ方向にスライド可能に設けられるアーム用スライダと、
扉や蓋に取り付けられ、前記アーム用スライダに回転可能に連結される取付座と、
前記アームに対して前記スライダがスライドするときの抵抗を調整する抵抗調整手段とを備える扉開閉用ステー。
【請求項２】
前記抵抗調整手段は、
前記アームを囲む枠状のスライダ本体と、
前記スライダ本体に螺合する位置調整ねじと、
前記アームと前記スライダ本体との間に設けられ、前記位置調整ねじを回すことによって前記アームに向かって進退する摩擦プレートと、を含み、
前記摩擦プレートを前記アームに向かって進退させることによって、前記アームに対して前記スライダがスライドするときの抵抗を調整することを特徴とする請求項１に記載の扉開閉用ステー。
【請求項３】
筐体に取り付けられる本体部と、
前記本体部に一端が回転可能に連結されるアームと、
前記本体部に設けられ、前記アームが少なくとも一方向へ回転するように付勢する付勢手段と、
前記アームに長さ方向にスライド可能に設けられるアーム用スライダと、
扉や蓋に取り付けられ、前記アーム用スライダに回転可能に連結される取付座と、を備え、
前記付勢手段は、
前記本体部にスライド可能に設けられると共に、弾性体によって一方向に付勢される本体部スライダと、
前記アーム及び前記本体部スライダに回転可能に連結されるリンクと、を含み、
前記本体部スライダ又は前記アームに対する前記リンクの回転の支点が、少なくとも二つ設けられ、
一つのピンが前記本体部スライダ又は前記アームに対する前記リンクの回転の支点になっている状態から、前記リンクが回転することによって、他の一つのピンが前記本体部スライダ又は前記アームに対する前記リンクの回転の支点になる状態へと切り替わる扉開閉用ステー。
【手続補正２】
【補正対象書類名】明細書
【補正対象項目名】００１１
【補正方法】変更
【補正の内容】
【００１１】
上記課題を解決するために、本発明の一態様は、筐体に取り付けられる本体部と、前記本体部に一端が回転可能に連結されるアームと、前記本体部に設けられ、前記アームが少なくとも一方向へ回転するように付勢する付勢手段と、前記アームに長さ方向にスライド可能に設けられるアーム用スライダと、扉や蓋に取り付けられ、前記アーム用スライダに回転可能に連結される取付座と、前記アームに対して前記スライダがスライドするときの抵抗を調整する抵抗調整手段とを備える扉開閉用ステーである。
【手続補正３】
【補正対象書類名】明細書
【補正対象項目名】００１２
【補正方法】変更
【補正の内容】
【００１２】
本発明の他の態様は、筐体に取り付けられる本体部と、前記本体部に一端が回転可能に連結されるアームと、前記本体部に設けられ、前記アームが少なくとも一方向へ回転するように付勢する付勢手段と、前記アームに長さ方向にスライド可能に設けられるアーム用スライダと、扉や蓋に取り付けられ、前記アーム用スライダに回転可能に連結される取付座と、を備え、前記付勢手段は、前記本体部にスライド可能に設けられると共に、弾性体によって一方向に付勢される本体部スライダと、前記アーム及び前記本体部スライダに回転可能に連結されるリンクと、を含み、前記本体部スライダ又は前記アームに対する前記リンクの回転の支点が、少なくとも二つ設けられ、一つのピンが前記本体部スライダ又は前記アームに対する前記リンクの回転の支点になっている状態から、前記リンクが回転することによって、他の一つのピンが前記本体部スライダ又は前記アームに対する前記リンクの回転の支点になる状態へと切り替わる扉開閉用ステーである。
【国際調査報告】
2010097996.tif 000015
2010097996.tif 000016
2010097996.tif 000017
2010097996.tif 000018